(57)【要約】      （修正有）【課題】電子機器と受付装置との関連付けを容易に行うことが可能な情報処理システム、サーバ、及び関連情報生成方法を提供する。【解決手段】情報処理システム１００は、音声受付装置１０と、第１サーバ２０と、第２サーバ３０とを備える。音声受付装置１０は、入力部と、通信部とを含む。入力部は、受付パスワードを受け付ける。通信部は、受付パスワード及び音声受付装置１０の識別情報を送信する。第２サーバ３０は、生成部と、判定部と、情報生成部とを含む。判定部は、受付パスワードが生成パスワードと一致しているか否かを判定する。情報生成部は、判定部の判定結果に基づいて第１関連情報を生成する。【選択図】図１
2019159701.tif 000002
【特許請求の範囲】
【請求項１】
電子機器に対する指示を受け付ける受付装置と、
前記受付装置が受け付けた指示に対応したデータを生成する第１サーバと、
前記データに対応した前記電子機器に対する制御コマンドを生成して前記電子機器に送信する第２サーバと
を備え、
前記受付装置は、
受付パスワードを受け付ける入力部と、
前記受付パスワード及び前記受付装置の識別情報を送信する送信部と
を含み、
前記第２サーバは、
前記電子機器の識別情報を受信する第１受信部と、
前記電子機器の識別情報に対応して生成された生成パスワードを出力可能な出力部に対し前記生成パスワードを送信する送信部と、
前記受付パスワード及び前記受付装置の識別情報を受信する第２受信部と、
前記受付パスワードが前記生成パスワードと一致しているか否かを判定する判定部と、
前記判定部の判定結果に基づいて、前記電子機器の識別情報と前記受付装置の識別情報とを関連付けた関連情報を生成する情報生成部と
を含む、情報処理システム。
【請求項２】
前記第２サーバは、前記生成パスワードを生成する生成部をさらに含む、請求項１に記載の情報処理システム。
【請求項３】
前記受付装置は、前記電子機器に対する指示を表す音声を受け付け、
前記第１サーバは、前記受付装置が受け付けた音声に対応した前記データを生成する、請求項１又は請求項２に記載の情報処理システム。
【請求項４】
前記受付パスワードが前記生成パスワードと一致している場合、前記情報生成部が前記関連情報を生成する、請求項１から請求項３のいずれか１項に記載の情報処理システム。
【請求項５】
前記第２サーバは、前記電子機器の登録情報が生成されているか否かを判定する登録判定部をさらに備え、
前記電子機器の登録情報が生成されていない場合、前記生成部が前記生成パスワードを生成する、請求項２に記載の情報処理システム。
【請求項６】
前記第２サーバは、
前記生成パスワードを含むデータベースを記憶する記憶部と、
前記生成パスワードが生成されてから所定時間が経過すると、前記データベースから前記生成パスワードを消去する消去部と
をさらに含み、
前記受付パスワードが前記生成パスワードと一致しているか否かを前記判定部が判定するよりも前に、前記消去部が前記データベースから前記生成パスワードを消去していた場合、前記受付パスワードが前記生成パスワードと一致していないと、前記判定部が判定する、請求項１から請求項５のいずれか１項に記載の情報処理システム。
【請求項７】
前記情報生成部が前記関連情報を生成すると、前記消去部が前記データベースから前記生成パスワードを消去する、請求項６に記載の情報処理システム。
【請求項８】
電子機器に対する指示を受け付ける受付装置と、前記受付装置が受け付けた指示に対応したデータを生成する第１サーバと、前記データに対応した前記電子機器に対する制御コマンドを生成して前記電子機器に送信する第２サーバとを備える情報処理システムに含まれるサーバであって、
前記サーバである前記第２サーバは、
前記電子機器の識別情報を受信する第１受信部と、
前記電子機器の識別情報に対応して生成された生成パスワードを出力可能な出力部に対し前記生成パスワードを送信する送信部と、
前記受付装置から送信された受付パスワード及び前記受付装置の識別情報を受信する第２受信部と、
前記受付パスワードが前記生成パスワードと一致しているか否かを判定する判定部と、
前記判定部の判定結果に基づいて、前記電子機器の識別情報と前記受付装置の識別情報とを関連付けた関連情報を生成する情報生成部と
を含む、サーバ。
【請求項９】
電子機器に対する指示を受け付ける受付装置と、前記受付装置が受け付けた指示に対応したデータを生成する第１サーバと、前記データに対応した前記電子機器に対する制御コマンドを生成して前記電子機器に送信する第２サーバとを備える情報処理システムの関連情報生成方法であって、
前記第２サーバが前記電子機器の識別情報を受信する工程と、
前記電子機器の識別情報に対応して生成された生成パスワードを出力可能な出力部に対し前記第２サーバが前記生成パスワードを送信する工程と、
前記出力部が前記生成パスワードを出力する工程と、
前記受付装置が受付パスワードを受け付ける工程と、
前記受付装置が前記受付パスワードと前記受付装置の識別情報とを送信する工程と、
前記第２サーバが前記受付パスワードと前記受付装置の識別情報とを受信する工程と、
前記生成パスワードが前記受付パスワードと一致しているか否かを前記第２サーバが判定する工程と、
前記第２サーバの判定結果に基づいて、前記電子機器の識別情報と前記受付装置の識別情報とを関連付けた関連情報を前記第２サーバが生成する工程と
を備える、関連情報生成方法。
【発明の詳細な説明】
【技術分野】
【０００１】
本発明は、情報処理システム、サーバ、及び関連情報生成方法に関する。
【背景技術】
【０００２】
特許文献１に記載の情報処理システムにおいて、複合機は、印刷出力に係る期間に有効期間が限られたワンタイムパスワードを生成する。そして、複合機は、ワンタイムパスワードと、複合機のＳＳＩＤ（Ｓｅｒｖｉｃｅ  Ｓｅｔ  Ｉｄｅｎｔｉｆｉｅｒ）とを表示部に表示する。通信端末装置は、ＳＳＩＤとワンタイムパスワードとが入力されると、複合機に接続される。その結果、通信端末装置から複合機へ画像データが送信される。
【先行技術文献】
【特許文献】
【０００３】
【特許文献１】特開２０１３−１７８７２６号公報
【発明の概要】
【発明が解決しようとする課題】
【０００４】
ＡＩスピーカ（受付装置）を用いた情報処理システムは、クラウド上のサーバで動作し、他のウェブサービスと連携して様々な機能を実現する。例えば、ＡＩスピーカを用いた情報処理システムは、音声により電子機器を制御する音声制御機能を実現できる。
【０００５】
しかし、音声制御機能を実現するためには、ＡＩスピーカと電子機器とを関連付ける関連付け作業を行わなければならない。関連付け作業は、例えば、ユーザーは、ユーザーが利用するウェブサービスにユーザー登録をし、さらにサーバに登録する。そして、ユーザーは、モバイルアプリのような携帯端末に対し、関連付け作業に必要なアプリをインストールする。そして、ユーザーは、携帯端末を操作して電子機器とＡＩスピーカとの関連付け作業を行わなければならなかった。従って、煩雑な作業を要した。
【０００６】
本発明は、電子機器と受付装置との関連付けを容易に行うことが可能な情報処理システム、サーバ、及び関連情報生成方法を提供することを目的としている。
【課題を解決するための手段】
【０００７】
本発明の第１の局面によれば、情報処理システムは、受付装置と、第１サーバと、第２サーバとを備える。受付装置は、電子機器に対する指示を受け付ける。第１サーバは、前記受付装置が受け付けた指示に対応したデータを生成する。第２サーバは、前記データに対応した前記電子機器に対する制御コマンドを生成して電子機器に送信する。前記受付装置は、入力部と、送信部とを含む。入力部は、受付パスワードを受け付ける。送信部は、前記受付パスワード及び前記受付装置の識別情報を送信する。前記第２サーバは、第１受信部と、送信部と、第２受信部と、判定部と、情報生成部とを含む。第１受信部は、前記電子機器の識別情報を受信する。送信部は、前記電子機器の識別情報に対応して生成された生成パスワードを出力可能な出力部に対し前記生成パスワードを送信する。第２受信部は、前記受付パスワード及び前記受付装置の識別情報を受信する。判定部は、前記受付パスワードが前記生成パスワードと一致しているか否かを判定する。情報生成部は、前記判定部の判定結果に基づいて、前記電子機器の識別情報と前記受付装置の識別情報とを関連付けた関連情報を生成する。
【０００８】
本発明の第２の局面によれば、サーバは、情報処理システムに含まれる。情報処理システムは、受付装置と、第１サーバと、第２サーバとを備える。受付装置は、電子機器に対する指示を受け付ける。第１サーバは、前記受付装置が受け付けた指示に対応したデータを生成する。第２サーバは、前記データに対応した前記電子機器に対する制御コマンドを生成して電子機器に送信する。前記サーバである前記第２サーバは、第１受信部と、送信部と、第２受信部と、判定部と、情報生成部とを含む。第１受信部は、前記電子機器の識別情報を受信する。送信部は、前記電子機器の識別情報に対応して生成された生成パスワードを出力可能な出力部に対し前記生成パスワードを送信する。第２受信部は、前記受付装置から送信された受付パスワード及び前記受付装置の識別情報を受信する。判定部は、前記受付パスワードが前記生成パスワードと一致しているか否かを判定する。情報生成部は、前記判定部の判定結果に基づいて、前記電子機器の識別情報と前記受付装置の識別情報とを関連付けた関連情報を生成する。
【０００９】
本発明の第３の局面によれば、関連情報生成方法は、情報処理システムの関連情報生成方法である。情報処理システムは、受付装置と、第１サーバと、第２サーバとを備える。受付装置は、電子機器に対する指示を受け付ける。第１サーバは、前記受付装置が受け付けた指示に対応したデータを生成する。第２サーバは、前記データに対応した前記電子機器に対する制御コマンドを生成して電子機器に送信する。関連情報生成方法は、前記第２サーバが前記電子機器の識別情報を受信する工程を備える。関連情報生成方法は、前記電子機器の識別情報に対応して生成された生成パスワードを出力可能な出力部に対し前記第２サーバが前記生成パスワードを送信する工程を備える。関連情報生成方法は、前記出力部が前記生成パスワードを出力する工程を備える。関連情報生成方法は、前記受付装置が受付パスワードを受け付ける工程を備える。関連情報生成方法は、前記受付装置が前記受付パスワードと前記受付装置の識別情報とを送信する工程を備える。関連情報生成方法は、前記第２サーバが前記受付パスワードと前記受付装置の識別情報とを受信する工程を備える。関連情報生成方法は、前記生成パスワードが前記受付パスワードと一致しているか否かを前記第２サーバが判定する工程を備える。関連情報生成方法は、前記第２サーバの判定結果に基づいて、前記電子機器の識別情報と前記受付装置の識別情報とを関連付けた関連情報を前記第２サーバが生成する工程を備える。
【発明の効果】
【００１０】
本発明によれば、電子機器と受付装置との関連付けを容易に行うことができる。
【図面の簡単な説明】
【００１１】
【図１】本発明の実施形態に係る情報処理システムのブロック図である。
【図２】音声受付装置のブロック図である。
【図３】第１サーバのブロック図である。
【図４】第２サーバのブロック図である。
【図５】表示装置のブロック図である。
【図６】データベースを示す図である。
【図７】（ａ）は第１音声受付装置から第１表示装置に向かう第１指示の流れを示す図である。（ｂ）は第２音声受付装置から第２表示装置に向かう第２指示の流れを示す図である。
【図８】第１関連情報の生成処理を示す第１模式図である。
【図９】第１処理を示すフロー図である。
【図１０】第１送信処理を示すフロー図である。
【図１１】第１受信処理を示すフロー図である。
【図１２】第２処理を示すフロー図である。
【図１３】第２送信処理を示すフロー図である。
【図１４】（ａ）第１音声受付装置の登録指示の受付時に、表示部に表示される画面の一例を示す図である。（ｂ）生成パスワードが表示部に表示される際に、表示部に表示される画面の一例を示す図である。（ｃ）消去部がデータベースから生成パスワードを消去する直前に、表示部に表示される画面の一例を示す図である。
【図１５】（ａ）ユーザーが入力部を介して、終了処理、消去処理、及び再登録処理のうちのいずれかを選択する際に、表示部に表示される画面を示す図である。（ｂ）表示部に表示される登録完了通知の画像の一例を示す図である。（ｃ）表示部に表示されるエラー通知の画像の一例を示す図である。
【図１６】判定情報の変形例を示す図である。
【図１７】（ａ）〜（ｃ）画像形成装置の表示部に表示される画像を示す図である。
【図１８】（ａ）〜（ｃ）画像形成装置の表示部に表示される画像を示す図である。
【発明を実施するための形態】
【００１２】
本発明の実施形態について、図面を参照しながら説明する。なお、図中、同一又は相当部分については同一の参照符号を付して説明を繰り返さない。
【００１３】
図１を参照して、本発明の情報処理システム１００の第１実施形態に係る情報処理システム１００について説明する。図１は、本発明の実施形態に係る情報処理システム１００のブロック図である。
【００１４】
図１に示すように、情報処理システム１００は、音声により電子機器を制御するシステムである。本実施形態の電子機器は、表示装置Ｘである。
【００１５】
情報処理システム１００は、音声受付装置１０と、第１サーバ２０と、第２サーバ３０とを備える。
【００１６】
音声受付装置１０は、表示装置Ｘに対する指示を表す音声を受け付ける。そして、音声受付装置１０は、受け付けた音声の音声データを第１サーバ２０に送信する。音声受付装置１０は、本発明の受付装置の一例である。
【００１７】
第１サーバ２０は、音声受付装置１０から受信した音声データをテキストデータに変換し、変換したテキストデータに該当するインテントを生成する。インテントは、音声受付装置１０が受け付けた音声に対応したデータである。具体的には、インテントは、音声受付装置１０が受け付けた音声が示す内容を表すテキスト形式のデータである。第２サーバ３０は、第１サーバ２０からインテントを受信する。そして、第２サーバ３０は、インテントに対応した表示装置Ｘに対する制御コマンドを生成する。そして、第２サーバ３０は、制御コマンドを表示装置Ｘに送信する。
【００１８】
インテントに対応した表示装置Ｘに対する制御コマンドは、言い換えれば、音声受付装置１０が受け付けた表示装置Ｘに対する指示を、表示装置Ｘに対する制御コマンドの信号に変換したものである。
【００１９】
表示装置Ｘは、第２サーバ３０が生成した制御コマンドを受信し、受信した制御コマンドに基づいて動作する。
【００２０】
以上、図１を参照して説明したように、音声受付装置１０が受け付けた音声により、表示装置Ｘが制御される。その結果、ユーザーは、音声受付装置１０に対し、表示装置Ｘに行わせたい所定の動作を表す言語を発音することにより、表示装置Ｘに所定の動作を行わせることができる。所定の動作は、例えば、表示装置Ｘに印刷ジョブを実行させる動作を示す。
【００２１】
次に、図２を参照して、音声受付装置１０について説明する。図２は、音声受付装置１０のブロック図である。
【００２２】
図２に示すように、音声受付装置１０は、音声を受け付け可能なデバイスである。音声を受け付け可能なデバイスの一例は、アマゾン社の「ＡＭＡＺＯＮ  ＥＣＨＯ（登録商標）」、又は、グーグル社の「ＧＯＯＧＬＥ  ＨＯＭＥ」である。
【００２３】
音声受付装置１０は、入力部１１と、出力部１２と、記憶部１３と、通信部１４と、制御部１５とを含む。
【００２４】
入力部１１は、音声のような音の入力を受け付ける。入力部１１は、例えば、マイクを含む。
【００２５】
出力部１２は、音声のような音を出力する。出力部１２は、例えば、スピーカを含む。
【００２６】
記憶部１３は、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）のような主記憶装置（例えば、半導体メモリー）を含み、補助記憶装置（例えば、ハードディスクドライブ）をさらに含んでもよい。記憶部１３は、制御部１５によって実行される種々のコンピュータープログラムを記憶する。
【００２７】
記憶部１３は、音声受付装置１０の識別情報αを記憶する。音声受付装置１０の識別情報αは、例えば、音声受付装置１０のＩＤ番号である。音声受付装置１０の識別情報αは、複数の音声受付装置１０の各々を互いに区別できるようにするために、複数の音声受付装置１０の各々に対し割り当てられた記号を示す。記号は、例えば、ひらがな、カタカナ、漢字、及びアルファベットのような文字、数字、バーコード、並びにマークのうちの少なくとも１つを含む。
【００２８】
通信部１４は、ＬＡＮ（Ｌｏｃａｌ  Ａｒｅａ  Ｎｅｔｗｏｒｋ）などのネットワーク網を介して第１サーバ２０と通信する。通信部１４は、例えば、ＬＡＮボードのような通信モジュール（通信機器）である。通信部１４は、本発明の受付装置の送信部の一例である。
【００２９】
制御部１５は、ＣＰＵ（Ｃｅｎｔｒａｌ  Ｐｒｏｃｅｓｓｉｎｇ  Ｕｎｉｔ）及びＭＰＵ（Ｍｉｃｒｏ  Ｐｒｏｃｅｓｓｉｎｇ  Ｕｎｉｔ）のようなプロセッサーを含む。制御部１５は、記憶部１３に記憶されたコンピュータープログラムを実行することにより、音声受付装置１０の各要素を制御する。
【００３０】
次に、図３を参照して、第１サーバ２０について説明する。図３は、第１サーバ２０のブロック図である。
【００３１】
図３に示すように、第１サーバ２０は、例えば、音声受付装置１０が受け付けた音声を解析し、音声受付装置１０が受け付けた音声を認識する機能を有するサーバである。音声を認識する機能を有するサーバの一例は、アマゾン社の「ＡＬＥＸＡ（登録商標）」、又は、グーグル社の「Ｇｏｏｇｌｅ  Ａｓｓｉｓｔａｎｔ」である。
【００３２】
第１サーバ２０は、記憶部２１と、通信部２２と、制御部２３とを含む。
【００３３】
記憶部２１は、ＲＯＭ、及びＲＡＭのような主記憶装置を含み、補助記憶装置をさらに含んでもよい。記憶部２１は、制御部２３によって実行される種々のコンピュータープログラムを記憶する。
【００３４】
通信部２２は、ＬＡＮなどのネットワーク網を介して音声受付装置１０及び第２サーバ３０の各々と通信する。通信部２２は、例えば、ＬＡＮボードのような通信モジュールである。
【００３５】
なお、第１サーバ２０は、音声受付装置１０、及び／又は、第２サーバ３０と有線接続されていてもよい。
【００３６】
制御部２３は、ＣＰＵ及びＭＰＵのようなプロセッサーを含む。制御部１５は、記憶部２１に記憶されたコンピュータープログラムを実行することにより、第１サーバ２０の各要素を制御する。
【００３７】
図４を参照して、第２サーバ３０について説明する。図４は、第２サーバ３０のブロック図である。
【００３８】
図４に示すように、第２サーバ３０は、記憶部３１と、通信部３２と、制御装置３３とを含む。
【００３９】
記憶部３１は、ＲＯＭ、及びＲＡＭのような主記憶装置を含み、補助記憶装置をさらに含んでもよい。記憶部３１は、制御装置３３によって実行される種々のコンピュータープログラムを記憶する。
【００４０】
記憶部３１は、データベースＤＢを記憶する。データベースＤＢは、関連情報４０を含む。関連情報４０の説明は、図６を参照して後述する。
【００４１】
通信部３２は、ＬＡＮなどのネットワーク網を介して第２サーバ３０及び表示装置Ｘの各々と通信する。通信部３２は、例えば、ＬＡＮボードのような通信モジュールである。
【００４２】
通信部３２は、本発明の送信部の一例を示す。また、通信部３２は、本発明の第１受信部の一例を示す。また、通信部３２は、本発明の第２受信部の一例を示す。
【００４３】
制御装置３３は、ＣＰＵ及びＭＰＵのようなプロセッサーを含む。制御装置３３は、記憶部３１に記憶されたコンピュータープログラムを実行することにより、第２サーバ３０の各要素を制御する。
【００４４】
制御装置３３は、制御部３３ａと、生成部３３ｂと、判定部３３ｃと、消去部３３ｄと、情報生成部３３ｅと、登録判定部３３ｆとを有する。具体的には、制御装置３３のプロセッサーが、記憶部３１に記憶されたコンピュータープログラムを実行することにより、制御部３３ａ、生成部３３ｂ、判定部３３ｃ、消去部３３ｄ、情報生成部３３ｅ、及び登録判定部３３ｆとして機能する。
【００４５】
次に、図５を参照して、表示装置Ｘについて説明する。図５は、表示装置Ｘのブロック図である。
【００４６】
図５に示すように、表示装置Ｘは、表示部１と、入力部２と、記憶部３と、通信部４と、制御部５とを含む。
【００４７】
表示部１は、例えば、液晶ディスプレイ（Ｌｉｑｕｉｄ  Ｃｒｙｓｔａｌ  Ｄｉｓｐｌａｙ）である。なお、表示装置Ｘは、ＥＬ（Ｅｌｅｃｔｒｏ−Ｌｕｍｉｎｅｓｃｅｎｃｅ）ディスプレイ、又は、プラズマディスプレイ（ＰＤＰ）でもよい。
【００４８】
入力部２は、例えば、制御部５と通信可能なリモコン、表示装置Ｘの筐体に設けられた操作キー、又は表示部１に設けられたタッチパネルである。
【００４９】
記憶部３は、ＲＯＭ、及びＲＡＭのような主記憶装置を含み、補助記憶装置をさらに含んでもよい。記憶部３は、制御部５によって実行される種々のコンピュータープログラムを記憶する。
【００５０】
記憶部３は、表示装置Ｘの識別情報βを記憶する。表示装置Ｘの識別情報βは、例えば、表示装置ＸのＩＤ番号である。表示装置Ｘの識別情報βは、複数の表示装置Ｘの各々を互いに区別できるようにするために、複数の表示装置Ｘの各々に対し割り当てられた記号を示す。
【００５１】
通信部４は、ＬＡＮなどのネットワーク網を介して第２サーバ３０と通信する。通信部４は、例えば、ＬＡＮボードのような通信モジュールである。
【００５２】
なお、表示装置Ｘは、第２サーバ３０と有線接続されていてもよい。
【００５３】
制御部５は、ＣＰＵ及びＭＰＵのようなプロセッサーを含む。制御部５は、記憶部３に記憶されたコンピュータープログラムを実行することにより、表示装置Ｘの各要素を制御する。
【００５４】
次に、図６〜図７（ｂ）を参照して、関連情報４０（図４参照）について説明する。図６は、データベースＤＢを示す図である。
【００５５】
データベースＤＢは、複数の関連情報４０を含む。複数の関連情報４０は、複数の音声受付装置１０の識別情報αと、複数の表示装置Ｘの識別情報βとを、それぞれ関連付けた情報を示す。
【００５６】
図６に示すように、複数の関連情報４０の各々は、音声受付装置１０の識別情報αと、表示装置Ｘの識別情報βとを関連付けた情報を示す。複数の関連情報４０の各々は、音声受付装置１０の識別情報αと、表示装置Ｘの識別情報βとに対し、生成パスワードと、ａｐｐＩＤとをさらに対応付ける。生成パスワードの説明は後述する。ａｐｐＩＤは、関連情報４０毎に設定される関連情報４０の識別子である。
【００５７】
複数の関連情報４０は、第１関連情報４１と、第２関連情報４２とを含む。複数の音声受付装置１０は、第１音声受付装置１０１と、第２音声受付装置１０２とを含む。複数の表示装置Ｘは、第１表示装置Ｘ１と、第２表示装置Ｘ２とを含む。
【００５８】
第１関連情報４１は、第１音声受付装置１０１の識別情報α１と、第１表示装置Ｘ１の識別情報β１とを関連付けた情報を示す。第２関連情報４２は、第２音声受付装置１０２の識別情報α２と、第２表示装置Ｘ２の識別情報β２とを関連付けた情報を示す。
【００５９】
図６及び図７（ａ）を参照して、第１音声受付装置１０１から第１表示装置Ｘ１に向かう第１指示の流れについて説明する。図７（ａ）は、第１音声受付装置１０１から第１表示装置Ｘ１に向かう第１指示の流れを示す図である。
【００６０】
図６及び図７（ａ）に示すように、まず、第１音声受付装置１０１が第１表示装置Ｘ１に対する第１指示を受け付ける。そして、第１指示は、第１音声受付装置１０１の識別情報α１と共に、第１サーバ２０を介して第２サーバ３０に送信される。そして、第２サーバ３０の制御部３３ａは、第１音声受付装置１０１の識別情報α１と、第１関連情報４１とに基づいて、第１表示装置Ｘ１の識別情報β１を算出する。そして、第２サーバ３０の制御部３３ａは、例えば、第１表示装置Ｘ１からのポーリング（送信要求）に応じて第１表示装置Ｘ１に第１指示を送信する。なお、第２サーバ３０の制御部３３ａが第１表示装置Ｘ１に第１指示を送信するための通信プロトコルとしてＭＱＴＴを用いてもよい。
【００６１】
図６及び図７（ｂ）を参照して、第２音声受付装置１０２から第２表示装置Ｘ２に向かう第２指示の流れについて説明する。図７（ｂ）は、第２音声受付装置１０２から第２表示装置Ｘ２に向かう第２指示の流れを示す図である。
【００６２】
図６及び図７（ｂ）に示すように、第２サーバ３０の制御部３３ａは、第２音声受付装置１０２の識別情報α２と、第２関連情報４２とに基づいて、第２表示装置Ｘ２の識別情報β２を算出する。そして、第２サーバ３０の制御部３３ａは、識別情報β２に基づいて第２表示装置Ｘ２のＩＰアドレスを特定する。その結果、第２音声受付装置１０２から第１サーバ２０及び第２サーバ３０を介して第２表示装置Ｘ２に第２指示が流れる。
【００６３】
以上、図６から図７（ｂ）を参照して説明したように、情報処理システム１００において、音声受付装置１０が受け付けた指示を、関連情報４０に基づいて所定の表示装置Ｘに送信することが可能になる。
【００６４】
次に、図８から図１５（ｃ）を参照して、第１関連情報４１（図６参照）の生成処理について説明する。第１関連情報４１の生成処理は、第１関連情報４１を生成するための処理である。
【００６５】
第１関連情報４１の生成処理は、第１処理と、第２処理とを含む。第１処理の終了後、第２処理が行われる。
【００６６】
まず、図８から図１１、及び図１４（ａ）から図１４（ｃ）を参照して、第１処理について説明する。図８は、第１関連情報４１の生成処理を示す第１模式図である。図９は、第１処理を示すフロー図である。
【００６７】
図８、及び図９に示すように、ステップＳ１１において、第１表示装置Ｘ１の入力部２は、第１音声受付装置１０１の登録指示を受け付ける。第１表示装置Ｘ１の登録指示は、第２サーバ３０において、第１表示装置Ｘ１と第１音声受付装置１０１とを対応付ける処理を開始する指示を示す。
【００６８】
図１４（ａ）は、第１音声受付装置１０１の登録指示の受付時に、表示部１に表示される画面の一例を示す図である。
【００６９】
図１４（ａ）に示すように、表示部１に表示される画面において、「ＡＩスピーカ」は、第１音声受付装置１０１の一例を示す。ユーザーは、例えば、入力部２を介してカーソルを操作し、表示部１に表示される「ＡＩスピーカ登録」の画像をカーソルで選択する。その結果、入力部２が、第１音声受付装置１０１の登録指示を受け付ける。
【００７０】
図８、及び図９に示すように、ステップＳ１２において、第１表示装置Ｘ１の通信部４が第２サーバ３０に対し、第１表示装置Ｘ１の識別情報β１を送信するように、制御部５が通信部４を制御する。
【００７１】
従って、第１表示装置Ｘ１の入力部２がパスワード生成指示を受け付けると、第１表示装置Ｘ１から第２サーバ３０に、第１表示装置Ｘ１の識別情報β１が送信される。なお、このとき、パスワード生成コマンドも、第１表示装置Ｘ１から第２サーバ３０に送信される。パスワード生成コマンドは、パスワード生成指示を表す制御コマンドを示す。
【００７２】
ステップＳ２１において、第２サーバ３０の通信部３２は、第１表示装置Ｘ１の識別情報β１を受信する。さらに、通信部３２は、パスワード生成コマンドを受信する。
【００７３】
ステップＳ２２において、第２サーバ３０は、パスワード生成コマンドを実行することで、第１送信処理を行う。その結果、第２サーバ３０の処理が終了する。
【００７４】
ステップＳ１３において、第１表示装置Ｘ１は、第１受信処理を行う。その結果、表示装置Ｘの処理が終了する。
【００７５】
次に、図８、及び図１０を参照して、ステップＳ２２に示す第１送信処理（図９参照）について説明する。図１０は、第１送信処理を示すフロー図である。
【００７６】
図８、及び図１０に示すように、ステップＳ２２１において、第２サーバ３０の登録判定部３３ｆは、第１表示装置Ｘ１が第２サーバ３０に登録されているか否かを判定する。第１表示装置Ｘ１が第２サーバ３０に登録されているとは、第１表示装置Ｘ１の登録情報が既に生成されており、データベースＤＢ上に存在していることを示す。第１表示装置Ｘ１の登録情報は、第１表示装置Ｘ１の識別情報β１と、複数の音声受付装置１０の識別情報αのうちのいずれかとが関連付けられた情報を示す。
【００７７】
第１表示装置Ｘ１が登録されていない場合（ステップＳ２１１で、Ｎｏ）、処理がステップＳ２２２に移行する。これに対し、第１表示装置Ｘ１が登録されている場合（ステップＳ２１１で、Ｙｅｓ）、処理がステップＳ２２６に移行する。
【００７８】
ステップＳ２２２において、生成部３３ｂは、生成パスワードγ１を生成する。生成パスワードγ１は、第１表示装置Ｘ１の識別情報β１に対応して生成される。
【００７９】
ステップＳ２２３において、生成部３３ｂは、対応情報Ａを生成する。対応情報Ａは、第１表示装置Ｘ１の識別情報β１と生成パスワードγ１とを対応付けた情報を示す。
【００８０】
ステップＳ２２４において、生成部３３ｂは、対応情報ＡをデータベースＤＢに追加する。その結果、対応情報Ａが記憶部３１に記憶される。
【００８１】
ステップＳ２２５において、通信部３２が生成パスワードγ１を第１表示装置Ｘ１に送信するように、制御部３３ａが通信部３２を制御する。その結果、第２サーバ３０から第１表示装置Ｘ１に生成パスワードγ１が送信される。第２サーバ３０が生成パスワードγ１を送信すると、第１送信処理が終了する。
【００８２】
なお、本実施形態では、生成パスワードγ１は、ワンタイムパスワードである。従って、生成部３３ｂにより生成パスワードγ１が生成されてから所定時間が経過すると、消去部３３ｄがデータベースＤＢから生成パスワードγ１を消去する。その結果、対応情報Ａにおいて、生成パスワードγ１が不在になる。
【００８３】
ステップＳ２２６において、通信部３２がエラー通知を第１表示装置Ｘ１に送信するように、制御部３３ａが通信部３２を制御する。その結果、第２サーバ３０から第１表示装置Ｘ１にエラー通知が送信される。第２サーバ３０がエラー通知を送信すると、第１送信処理が終了する。
【００８４】
次に、図８、図１１、図１４（ｂ）、図１４（ｃ）及び図１５（ａ）を参照して、第１受信処理について説明する。図１１は、第１受信処理を示すフロー図である。
【００８５】
図８、及び図１１に示すように、ステップＳ１３１において、第１表示装置Ｘ１の制御部５は、通信部４がエラー通知を受信したか否かを判定する。
【００８６】
通信部４がエラー通知を受信していない場合（ステップＳ１３１で、Ｎｏ）、処理がステップＳ１３２に移行する。言い換えれば、通信部４が生成パスワードγ１を受信した場合、処理がステップＳ１３２に移行する。これに対し、通信部４がエラー通知を受信した場合（ステップＳ１３１で、Ｙｅｓ）、処理がステップＳ１３４に移行する。
【００８７】
ステップＳ１３２において、第１表示装置Ｘ１の表示部１が生成パスワードγ１を表示するように、制御部５が表示部１を制御する。従って、表示部１に生成パスワードγ１が表示される。その結果、ユーザーは、表示部１を視認して、生成パスワードγ１を認識できる。
【００８８】
なお、表示部１には、ユーザーが第１音声受付装置１０１に対し発音すべき全ての情報δが表示される。例えば、表示部１には、第１表示装置Ｘ１の識別情報β１と、生成パスワードγ１とが表示される。しかし、表示部１には、少なくとも、生成パスワードγ１が表示されればよい。
【００８９】
第１表示装置Ｘ１の表示部１は、本発明の出力部の一例である。表示部１は、生成パスワードγ１を出力可能である。
【００９０】
図１４（ｂ）は、生成パスワードγ１が表示部１を表示する際に、表示部１に表示される画面の一例を示す図である。図１４（ｂ）において、生成パスワードγ１は、「登録番号５５１１−７０８０００−１２３４」を示す図である。
【００９１】
なお、本発明の出力部は、第１表示装置Ｘ１と第１音声受付装置１０１との関連付けの作業を行うユーザーに対し、生成パスワードγ１を通知可能なデバイスであればよい。
【００９２】
例えば、携帯端末又はＰＣ（Ｐｅｒｓｏｎａｌ  Ｃｏｍｐｕｔｅｒ）のような端末が表示装置Ｘと通信可能に接続されている場合、端末のディスプレイに生成パスワードγ１が表示されてもよい。この場合、端末のディスプレイが、本発明の出力部の二例として機能する。また、端末のスピーカが、生成パスワードγ１の音声を出力してもよい。この場合、端末のスピーカが、本発明の出力部の三例として機能する。
【００９３】
また、第２サーバ３０と通信可能に接続される画像形成装置が、生成パスワードγ１を示す画像、又は情報δを示す画像を用紙に印刷してもよい。この場合、画像形成装置が、本発明の出力部の四例として機能する。
【００９４】
第１表示装置Ｘ１の表示部１が生成パスワードγ１を表示すると、第１受信処理が終了する。
【００９５】
ステップＳ１３３において、生成部３３ｂにより生成パスワードγ１が生成されてから所定時間後、消去部３３ｄがデータベースＤＢから生成パスワードγ１を消去する。
【００９６】
図１４（ｃ）は、消去部３３ｄがデータベースＤＢから生成パスワードγ１を消去する直前に、表示部１に表示される画面の一例を示す図である。図１４（ｃ）に示すように、音声受付装置１０に対する音声の入力がなく、所定時間が経過すると、図１４（ｂ）に示す生成パスワードγ１を表示する画像が表示部１から消去される。また、所定時間経過すると、消去部３３ｄがデータベースＤＢから生成パスワードγ１を消去する。そして、第１関連情報４１の生成処理が終了する。
【００９７】
ステップＳ１３４において、第１表示装置Ｘ１が第２サーバ３０に登録されていると、第１表示装置Ｘ１の表示部１（図５参照）がエラー通知を表示するように、制御部５が表示部１を制御する。従って、表示部１にエラー通知が表示される。その結果、ユーザーは、表示部１を視認して、エラー通知を認識できる。エラー通知は、第１表示装置Ｘ１を登録する処理が失敗したことを示す通知である。そして、制御部５は終了処理を行う。終了処理は、第１関連情報４１の生成処理を終了させる処理を示す。
【００９８】
なお、第１表示装置Ｘ１が第２サーバ３０に登録されていると、第２サーバ３０の制御部３３ａが消去処理を行ってもよい。消去処理は、第１表示装置Ｘ１に関連付けられている音声受付装置１０をデータベースＤＢ上から消去する処理を示す。その結果、第１関連情報４１の生成処理をスムーズにやり直すことが可能になる。
【００９９】
また、第１表示装置Ｘ１が第２サーバ３０に登録されていると、第２サーバ３０の生成部３３ｂが、再登録処理を行ってもよい。再登録処理は、第１表示装置Ｘ１に関連付けられている音声受付装置１０をデータベースＤＢ上から消去して、生成パスワードγ１を生成する処理を示す。従って、再登録処理が行われる場合は、ステップＳ２２２以降の処理（図１０参照）が継続される。
【０１００】
なお、第２サーバ３０の制御装置３３が終了処理、消去処理、及び再登録処理のうちのいずれを行うかを、入力部２を介して選択できてもよい。
【０１０１】
図１５（ａ）は、ユーザーが入力部２を介して、終了処理、消去処理、及び再登録処理のうちのいずれかを選択する際に、表示部１に表示される画面を示す図である。図１５（ａ）において、「登録せずに終了」の画像は、終了処理を選択するための画像を示す。「現在登録さ・・・・登録を解除」の画像は、消去処理を選択するための画像を示す。「現在の設定を上書きして再登録」の画像は、再登録処理を選択するための画像を示す。
【０１０２】
次に、図８、及び図１２から図１３を参照して、第２処理について説明する。図１２は、第２処理を示すフロー図である。
【０１０３】
図８、及び図１２に示すように、ステップＳ３１において、第１音声受付装置１０１の入力部１１は、登録コマンドε１の音声と、受付パスワードε２の音声とを受け付ける。
【０１０４】
登録コマンドε１は、第２サーバ３０に対し第１表示装置Ｘ１を登録することを指示するコマンドを示す。言い換えれば、登録コマンドε１は、関連情報４０を生成することを指示するコマンドを示す。
【０１０５】
受付パスワードε２は、表示部１に表示された生成パスワードγ１に基づいてユーザーが第１音声受付装置１０１に入力したパスワードを示す。
【０１０６】
第１音声受付装置１０１の入力部１１は、起動フレーズε３の音声をさらに受け付ける。起動フレーズε３は、第１音声受付装置１０１を起動させるためのフレーズを示す。
【０１０７】
なお、入力部１１を、キーボード又はタッチパネルのような入力デバイスで構成してもよい。そして、ユーザーが、入力デバイスを介して、登録コマンドε１、受付パスワードε２、及び起動フレーズε３を文字入力してもよい。
【０１０８】
ステップＳ３２において、第１音声受付装置１０１の通信部１４が、第１サーバ２０に対し登録情報の音声データを送信するように、制御部１５が通信部１４を制御する。その結果、第１音声受付装置１０１から第１サーバ２０に登録情報の音声データが送信される。
【０１０９】
登録情報は、登録コマンドε１と、受付パスワードε２と、第１音声受付装置１０１の識別情報α１とを含む。
【０１１０】
ステップＳ４１において、第１サーバ２０の通信部２２は、登録情報の音声データを受信する。そして、第１サーバ２０の制御部２３は、登録情報の音声データをテキストデータに変換する。
【０１１１】
ステップＳ４２において、第１サーバ２０の通信部２２が第２サーバ３０に対し、登録情報のテキストデータを送信するように、制御部２３が通信部２２を制御する。その結果、登録情報のテキストデータが、第１サーバ２０から第２サーバ３０に送信される。
【０１１２】
ステップＳ５１において、第２サーバ３０の通信部３２は、登録情報のテキストデータを受信する。
【０１１３】
ステップＳ５２において、第２サーバ３０は、登録情報に含まれる登録コマンドε１を実行することで、第２送信処理を行う。その結果、第２サーバ３０の処理が終了する。
【０１１４】
次に、図８、図１３、図１５（ｂ）及び図１５（ｃ）を参照して、第２送信処理について説明する。図１３は、第２送信処理を示すフロー図である。
【０１１５】
図８、及び図１３に示すように、ステップＳ５２１において、第２サーバ３０の判定部３３ｃは、受付パスワードε２と一致する生成パスワードがデータベースＤＢに存在しているか否かを判定する。言い換えれば、第２サーバ３０の判定部３３ｃは、受付パスワードε２が生成パスワードγ１と一致しているか否かを判定する。
【０１１６】
受付パスワードε２が生成パスワードγ１と一致している場合（ステップＳ５２１で、Ｙｅｓ）、処理がステップＳ５２２に移行する。
【０１１７】
受付パスワードε２が生成パスワードγ１と一致していない場合（ステップＳ５２１で、Ｎｏ）、処理がステップＳ５２６に移行する。
【０１１８】
なお、受付パスワードε２が生成パスワードγ１と一致しているか否かを判定部３３ｃが判定するよりも前に、消去部３３ｄがデータベースＤＢから生成パスワードγ１を消去していた場合、受付パスワードε２が生成パスワードγ１と一致していないと判定部３３ｃが判定する。つまり、生成パスワードγ１が生成されてから所定時間経過後は、受付パスワードε２が生成パスワードγ１と一致しているか否かに関係なく、受付パスワードε２が生成パスワードγ１と一致していないと判定部３３ｃが判定する。従って、この場合、ステップＳ５２１で、Ｎｏになり、処理がステップＳ５２６に移行する。
【０１１９】
ステップＳ５２２において、第２サーバ３０の情報生成部３３ｅは、第１関連情報４１を生成する。第１関連情報４１は、登録情報に含まれる第１音声受付装置１０１の識別情報α１（図１２参照）と、対応情報Ａの第１表示装置Ｘ１の識別情報β１（図８参照）とを関連付けた情報を示す。
【０１２０】
ステップＳ５２３において、第２サーバ３０の情報生成部３３ｅは、データベースＤＢに第１関連情報４１を追加する。その結果、第１関連情報４１が記憶部３１に記憶される。
【０１２１】
ステップＳ５２４において、第２サーバ３０の消去部３３ｄがデータベースＤＢから生成パスワードγ１を消去する。
【０１２２】
ステップＳ５２５において、通信部３２が登録完了通知を第１表示装置Ｘ１に送信するように、制御部３３ａが通信部３２を制御する。その結果、第２サーバ３０から第１表示装置Ｘ１に登録完了通知が送信される。登録完了通知は、第１表示装置Ｘ１を登録する処理が成功したことを示す通知である。第２サーバ３０が登録完了通知を送信すると、第２送信処理が終了する。
【０１２３】
第１表示装置Ｘ１の通信部４は、登録完了通知を受信する。そして、第１表示装置Ｘ１の表示部１が登録完了通知の画像を表示するように、制御部５が表示部１を制御する。その結果、第１表示装置Ｘ１の表示部１が、登録完了通知の画像を表示する。
【０１２４】
図１５（ｂ）は、表示部１に表示される登録完了通知の画像の一例を示す図である。図１５（ｂ）において、入力部２を介して登録完了通知の画像中の「閉じる」の画像が選択されると、登録完了通知の画像が表示部１から消去される。また、表示部１に登録完了通知の画像が表示されてから所定の表示時間が経過すると、登録完了通知の画像が表示部１から消去される。
【０１２５】
なお、ステップＳ５２５において、第１音声受付装置１０１が登録完了通知を示す情報の音声を出力してもよい。この場合、登録完了通知を示す情報が、第２サーバ３０から第１サーバ２０を介して第１音声受付装置１０１に送信される。
【０１２６】
図１３に示すように、ステップＳ５２６において、通信部３２がエラー通知を第１サーバ２０に送信するように、制御部３３ａが通信部３２を制御する。その結果、第２サーバ３０から第１サーバ２０にエラー通知が送信される。この場合、第２サーバ３０の情報生成部３３ｅは、第１関連情報４１を生成しない。第２サーバ３０がエラー通知を送信すると、第２送信処理が終了する。
【０１２７】
第１表示装置Ｘ１の通信部４は、エラー通知を受信する。そして、第１表示装置Ｘ１の表示部１がエラー通知の画像を表示するように、制御部５が表示部１を制御する。その結果、第１表示装置Ｘ１の表示部１が、エラー通知の画像を表示する。
【０１２８】
図１５（ｃ）は、表示部１に表示されるエラー通知の画像の一例を示す図である。図１５（ｃ）において、入力部２を介してエラー通知の画像中の「閉じる」の画像が選択されると、エラー通知の画像が表示部１から消去される。また、表示部１にエラー通知の画像が表示されてから所定の表示時間が経過すると、エラー通知の画像が表示部１から消去される。
【０１２９】
以上、図８、及び図１２から図１３、図１５（ｂ）及び図１５（ｃ）を参照して説明したように、ステップＳ３１、ステップＳ５２１、ステップＳ５２２、及びステップＳ５２６（図１２及び図１３参照）に示すように、ユーザーが第１音声受付装置１０１に対し受付パスワードε２を入力すると、情報生成部３３ｅが、判定部３３ｃの判定結果に基づいて第１関連情報４１を生成する。従って、ユーザーが、第１表示装置Ｘ１と第１音声受付装置１０１との関連付けを行う際、モバイルアプリのような携帯端末に対し、関連付け作業に必要なアプリをインストールするような煩雑な作業が不要である。その結果、ユーザーは、第１表示装置Ｘ１と第１音声受付装置１０１との関連付けを容易に行うことができる。また、情報処理システム１００は、複雑なシステムを必要とせず、簡素な装置構成で第１表示装置Ｘ１と第１音声受付装置１０１との関連付けを行える。
【０１３０】
また、ステップＳ２２１からステップＳ２２２（図１０参照）に示すように、第１表示装置Ｘ１の登録情報が生成されていない場合、生成部３３ｂが生成パスワードγ１を生成する。従って、第１表示装置Ｘ１が二重に登録されることを防止できる。
【０１３１】
以上、図面（図１〜図１６）を参照しながら本発明の実施形態について説明した。但し、本発明は、上記の実施形態に限られるものではなく、その要旨を逸脱しない範囲で実施することが可能である（例えば、（１）〜（９））。また、上記の実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果から実質的に逸脱しない範囲で種々の変更が可能である。
【０１３２】
（１）本発明の受付装置の一例は、音声受付装置１０である。しかし、本発明はこれに限定されない。本発明の受付装置の二例として、携帯端末、及びＰＣのような端末を用いてもよい。この場合、キーボード、マウス、及びタッチパネルのような端末の入力部を介して、表示装置Ｘに対する指示が受け付けられる。また、本実施形態の第１サーバ２０は、音声認識機能を有するサーバである。しかし、本発明はこれに限定されない。第１サーバ２０は、音声受付装置１０、及び端末のような受付装置が受け付けた指示に対応したデータを第１サーバ２０のメモリー上に生成できればよい。例えば、第１サーバ２０をＴｗｉｔｔｅｒ（登録商標）のサーバで構成する。そして、受付装置を介してＴｗｉｔｔｅｒに投稿された表示装置Ｘに対する指示を、第２サーバ３０が取得する。そして、第２サーバ３０は、Ｔｗｉｔｔｅｒのサーバから取得した指示に基づいて表示装置Ｘに対する制御コマンドを生成してもよい。
【０１３３】
（２）本実施形態の電子機器は、表示装置Ｘである。しかし、本発明はこれに限定されない。電子機器は、受付装置により制御できる機器であればよい。電子機器は、例えば、複合機、ＰＣ、洗濯機、掃除機、照明器具、又はエアコンでもよい。
【０１３４】
（３）本実施形態では、第１表示装置Ｘ１の入力部２がパスワード生成指示を受け付ける（図８及び図９参照）。しかし、本発明はこれに限定されない。第１表示装置Ｘ１が端末（例えば、携帯端末又はＰＣ）と通信可能に接続される場合、端末の入力部（例えば、キーボード、マウス、又はタッチパネル）がパスワード生成指示を受け付けてもよい。
【０１３５】
（４）本実施形態では、第１音声受付装置１０１の出力部１２は、登録完了通知の音声、又は、エラー通知の音声を出力する（ステップＳ３３２、及びステップＳ３３３参照）。しかし、本発明はこれに限定されない。例えば、出力部１２をディスプレイのような表示デバイスで構成してもよい。この場合、表示デバイスが、登録完了通知を示す画像、又は、エラー通知を示す画像を表示する。また、出力部１２をプリンターのような印刷デバイスで構成してもよい。この場合、印刷デバイスが、登録完了通知を示す画像、又は、エラー通知を示す画像を用紙に印刷する。
【０１３６】
（５）本実施形態の生成パスワードγ１は、所定時間経過後に消去されると共に、１度使用されると消去されるワンタイムパスワードである。しかし、本発明はこれに限定されない。生成パスワードγ１は、所定時間が経過するとデータベースＤＢから消去されなくてもよい。また、第１関連情報４１が生成された後、生成パスワードγ１がデータベースＤＢから消去されなくてもよい。つまり、ステップＳ５２４の処理（図１３参照）が実行されなくてもよい。その結果、情報処理システム１００の処理内容をシンプルにすることが可能になる。しかし、本実施形態のように生成パスワードγ１をワンタイムパスワードとする方が、情報処理システム１００のセキュリティをより向上できる点で有利である。
【０１３７】
（６）本実施形態では、ステップＳ３１（図８及び図１２参照）において、第１音声受付装置１０１の入力部１１は、受付パスワードε２の音声を受け付ける。そして、ステップＳ５２１（図１３参照）において、第２サーバ３０の判定部３３ｃは、受付パスワードε２が生成パスワードγ１と一致しているか否かを判定する。そして、受付パスワードε２が生成パスワードγ１と一致している場合、ステップＳ５２２において、第２サーバ３０の情報生成部３３ｅが第１関連情報４１を生成する。従って、本実施形態では、第１関連情報４１を生成するための判定情報として、受付パスワードε２が用いられる。しかし、本発明はこれに限定されない。
【０１３８】
図１６を参照して、判定情報の変形例について説明する。図１６は、判定情報の変形例を示す図である。
【０１３９】
図１６に示すように、判定情報として、受付パスワードε２と、第１表示装置Ｘ１の識別情報β１とを用いてもよい。この場合、図１２に示すステップＳ３１において、ユーザーは、第１音声受付装置１０１の入力部１１に対し、受付パスワードε２と、第１表示装置Ｘ１の識別情報β１とを入力する。そして、図１３に示すステップＳ５２１において、第２サーバ３０の判定部３３ｃは、受付パスワードε２が生成パスワードγ１と一致しているか否かを判定する。さらに、第２サーバ３０の判定部３３ｃは、第１音声受付装置１０１に入力された識別情報β１が、対応情報Ａの識別情報β１と一致しているか否かを判定する。そして、受付パスワードε２が生成パスワードγ１と一致し、さらに、第１音声受付装置１０１に入力された識別情報β１が、対応情報Ａの識別情報β１と一致している場合に、ステップＳ５２１において、情報生成部３３ｅが第１関連情報４１を生成する。その結果、判定情報として受付パスワードε２のみが用いられる場合に比べ、情報処理システム１００のセキュリティをより向上できる。
【０１４０】
なお、判定情報として、例えば、第１表示装置Ｘ１の型番、第１表示装置Ｘ１の所在地、第１表示装置Ｘ１のＩＰアドレス、第１表示装置Ｘ１が設置されている会社の名前、第１表示装置Ｘ１の管理者名、及び／又は、管理者が設定したパスワードを用いてもよい。
【０１４１】
（７）本実施形態では、ステップＳ２２２（図１０参照）において、第２サーバ３０の生成部３３ｂが生成パスワードγ１を生成する。しかし、本発明は、これに限定されない。例えば、第１表示装置Ｘ１の制御部５が生成パスワードγ１を生成してもよい。
【０１４２】
以下では、第１表示装置Ｘ１の制御部５が生成パスワードγ１を生成する処理の一例について、図８、及び図９を参照して説明する。
【０１４３】
ステップＳ１２において、第１表示装置Ｘ１の制御部５が、第１表示装置Ｘ１の識別情報β１に対応した生成パスワードγ１を生成する。そして、第１表示装置Ｘ１の通信部４が第２サーバ３０に対し、第１表示装置Ｘ１の識別情報β１と、生成パスワードγ１とを送信するように、制御部５が通信部４を制御する。この場合、ステップＳ２２２（図１０参照）に示す、第２サーバ３０の生成部３３ｂが生成パスワードγ１を生成する処理が不要になる。
【０１４４】
また、以下に示すように、第２サーバ３０の生成部３３ｂ以外のデバイスが生成パスワードγ１を生成してもよい。
【０１４５】
この場合、例えば、ステップＳ２２２において、第２サーバ３０からの指示に応じて、第１表示装置Ｘ１の制御部５、又は第２サーバ３０と通信可能に接続される端末が生成パスワードγ１を生成する。そして、第１表示装置Ｘ１、又は端末は、生成パスワードγ１を生成すると、生成パスワードγ１を第２サーバ３０に送信する。その結果、第２サーバ３０が生成パスワードγ１を取得する。そして、第２サーバ３０が生成パスワードγ１を取得すると、処理がステップＳ２２３に移行する。
【０１４６】
（８）図１７（ａ）〜図１８（ｃ）を参照して、本発明の電子機器の一例として複合機のような画像形成装置を用いた場合に、画像形成装置の表示部に表示される画像について説明する。画像形成装置の表示部は、例えば、画像形成装置の使用可能な機能を示す画像を表示する。表示部は、画像形成装置の使用可能な機能を示す画像として、例えば、「コピー」を示す画像、「スキャン」を示す画像、及び「ＦＡＸ」を示す画像を表示する。また、画像形成装置の表示部は、例えば、タッチパネルとして機能する。従って、画像形成装置の表示部に対するタッチ操作を介して所望の機能を示す画像をタッチ操作することで、ユーザーは使用する機能を選択することができる。図１７（ａ）〜図１８（ｃ）は、画像形成装置を第２サーバ３０に登録する処理が行われる際に、画像形成装置の表示部に表示される画像を示す。画像形成装置を登録する処理は、上述した第１表示装置Ｘ１を登録する処理と同様の手順で行われる（図９〜図１３参照）。従って、画像形成装置を登録する処理が行われる際に画像形成装置の表示部に表示される画像は、第１表示装置Ｘ１を登録する処理が行われる際に第１表示装置Ｘ１の表示部１に表示される画像と近似している。図１７（ａ）〜図１８（ｃ）は、それぞれ、図１４（ａ）〜図１５（ｃ）に相当する。
【０１４７】
（９）なおこれまで説明した実施形態では、ステップＳ３１においてユーザーが第１音声受付装置１０１に対し受付パスワードε２を入力するとしたが、これに限定されるものではない。例えば携帯端末又はＰＣのような端末が生成パスワードγ１を第２サーバ３０から取得し、前記端末のスピーカが前記生成パスワードγ１を音声出力する。そして、前記端末のスピーカが出力した生成パスワードγ１の音声を第１音声受付装置１０１が受付パスワードε２として音声入力により受け付けてもよい。これによりユーザーの利便性が上がることは勿論であるが、ユーザーの発音が悪いなど第１音声受付装置１０１（ＡＩスピーカ）が認識しづらい場合でも、端末での正確な音声再生を行うことにより、確実に関連付け音声を認識させることができる。
【産業上の利用可能性】
【０１４８】
本発明は、情報処理システム、サーバ、及び関連情報生成方法の分野に利用可能である。
【符号の説明】
【０１４９】
１    表示部（出力部）
１１    入力部
１４    通信部（音声受付装置の送信部）
２０    第１サーバ
３０    第２サーバ
３１    記憶部
３２    通信部（第２サーバの送信部、第１受信部、第２受信部）
３３ｂ  生成部
３３ｃ  判定部
３３ｄ  消去部
３３ｅ  情報生成部
３３ｆ  登録判定部
４１    第１関連情報（関連情報）
１００  情報処理システム
１０１  第１音声受付装置（受付装置）
ＤＢ    データベース
Ｘ１    第１画像形成装置（電子機器）
α１    第１音声受付装置の識別情報
β１    第１画像形成装置の識別情報
γ１    生成パスワード
ε２    受付パスワード
【図１】
2019159701.tif 000003
【図２】
2019159701.tif 000004
【図３】
2019159701.tif 000005
【図４】
2019159701.tif 000006
【図５】
2019159701.tif 000007
【図６】
2019159701.tif 000008
【図７】
2019159701.tif 000009
【図８】
2019159701.tif 000010
【図９】
2019159701.tif 000011
【図１０】
2019159701.tif 000012
【図１１】
2019159701.tif 000013
【図１２】
2019159701.tif 000014
【図１３】
2019159701.tif 000015
【図１４】
2019159701.tif 000016
【図１５】
2019159701.tif 000017
【図１６】
2019159701.tif 000018
【図１７】
2019159701.tif 000019
【図１８】
2019159701.tif 000020